(57)【特許請求の範囲】
【請求項１】
ボックス本体及び該ボックス本体に被さるボックス蓋を備え、流路の一部を覆う流路用ボックスであって、
前記ボックス本体及び前記ボックス蓋には、前記一部の上流部又は下流部を構成する管部を避けるための切欠き状の回避部が設けられ、
前記ボックス蓋は、前記ボックス本体から離脱可能な状態で該ボックス本体に被さり、この離脱可能な状態にある前記ボックス蓋が前記ボックス本体に対して前記一部の上流側または下流側にスライドすると、前記ボックス本体から離脱不能な状態となるように構成されており、さらに、前記離脱不能な状態にある前記ボックス蓋と前記ボックス本体との隙間に挿入可能なクリップ部材が設けられ、該クリップ部材は前記隙間内に位置する前記管部に係脱自在に係合し、前記隙間内に位置する前記管部に前記クリップ部材が係合した状態では、前記ボックス蓋は前記離脱不能な状態となる位置から前記離脱可能な状態となる位置にスライドすることができないように構成されていることを特徴とする流路用ボックス。
【請求項２】
前記ボックス蓋には該ボックス蓋の開口縁から延びるＬ状溝が設けられると共に、前記ボックス本体には前記Ｌ状溝に係合可能な突起が設けられ、
前記Ｌ状溝は、前記ボックス蓋の開口縁から該Ｌ状溝の屈曲部分まで延びる非ロック溝部と、前記屈曲部分よりも該Ｌ状溝の最奥側の部分を占めるロック溝部とを有し、
前記ボックス蓋が前記離脱可能な状態にあるときは、前記突起は前記非ロック溝部内に位置し、前記ボックス蓋が前記離脱不能な状態にあるときは、前記突起は前記ロック溝部内に位置している請求項１に記載の流路用ボックス。
【請求項３】
前記一部に設けられた電気的駆動弁及び水力発電機と、前記電気的駆動弁及び水力発電機に接続される電源ユニットとを覆うように構成された請求項１〜２の何れか一項に記載の流路用ボックス。
【請求項４】
前記一部の上流部が下を向き下流部が上を向くように配置され、
前記流路において前記一部の下流側に設けられる吐水部はセンサを有すると共に前記一部の上方に位置し、
前記センサに対して前記電気的駆動弁または前記電源ユニットを接続する電線は、前記ボックス本体の外面に形成された凹溝に沿って該ボックス本体の下方から側方を経て上方に引き出されるように構成されている請求項３に記載の流路用ボックス。
【請求項５】
請求項１〜４の何れか一項に記載の流路用ボックスによって上流側の流路の一部が覆われた水栓。
【発明の詳細な説明】
【技術分野】
【０００１】
この発明は、流路の特定部位を覆うための流路用ボックス及びこれを備えた水栓に関する。
【背景技術】
【０００２】
流路の特定部位を覆うための従来のボックスとして、特許文献１に開示されたものが知られている。このボックスは、ボックス本体としてのカバーと、ボックス蓋としてのケースとを備え、電磁弁、この電磁弁を制御するための制御部等を収容する。
【０００３】
斯かるボックスでは、制御部等を覆って保護することができる。
【先行技術文献】
【特許文献】
【０００４】
【特許文献１】特開２００７−２６２７５９号公報
【発明の概要】
【発明が解決しようとする課題】
【０００５】
しかし、上記ボックスでは、カバーに対するケースの取付けがねじ止めによるため、ケースの着脱作業に手間が掛かるという問題がある。
【０００６】
本発明は上述の事柄に留意してなされたもので、その目的は、ボックス蓋の着脱が容易となる流路用ボックス及びこれを備えた水栓を提供することにある。
【課題を解決するための手段】
【０００７】
上記目的を達成するために、本発明に係る流路用ボックスは、ボックス本体及び該ボックス本体に被さるボックス蓋を備え、流路の一部を覆う流路用ボックスであって、前記ボックス本体及び前記ボックス蓋には、前記一部の上流部又は下流部を構成する管部を避けるための切欠き状の回避部が設けられ、前記ボックス蓋は、前記ボックス本体から離脱可能な状態で該ボックス本体に被さり、この離脱可能な状態にある前記ボックス蓋が前記ボックス本体に対して前記一部の上流側または下流側にスライドすると、前記ボックス本体から離脱不能な状態となるように構成されており、さらに、前記離脱不能な状態にある前記ボックス蓋と前記ボックス本体との隙間に挿入可能なクリップ部材が設けられ、該クリップ部材は前記隙間内に位置する前記管部に係脱自在に係合し、前記隙間内に位置する前記管部に前記クリップ部材が係合した状態では、前記ボックス蓋は前記離脱不能な状態となる位置から前記離脱可能な状態となる位置にスライドすることができないように構成されている（請求項１）。
【０００８】
【０００９】
上記流路用ボックスにおいて、前記ボックス蓋には該ボックス蓋の開口縁から延びるＬ状溝が設けられると共に、前記ボックス本体には前記Ｌ状溝に係合可能な突起が設けられ、前記Ｌ状溝は、前記ボックス蓋の開口縁から該Ｌ状溝の屈曲部分まで延びる非ロック溝部と、前記屈曲部分よりも該Ｌ状溝の最奥側の部分を占めるロック溝部とを有し、前記ボックス蓋が前記離脱可能な状態にあるときは、前記突起は前記非ロック溝部内に位置し、前記ボックス蓋が前記離脱不能な状態にあるときは、前記突起は前記ロック溝部内に位置していてもよい（請求項２）。
【００１０】
上記流路用ボックスが、前記一部に設けられた電気的駆動弁及び水力発電機と、前記電気的駆動弁及び水力発電機に接続される電源ユニットとを覆うように構成されていてもよい（請求項３）。
【００１１】
上記流路用ボックスにおいて、前記一部の上流部が下を向き下流部が上を向くように配置され、前記流路において前記一部の下流側に設けられる吐水部はセンサを有すると共に前記一部の上方に位置し、前記センサに対して前記電気的駆動弁または前記電源ユニットを接続する電線は、前記ボックス本体の外面に形成された凹溝に沿って該ボックス本体の下方から側方を経て上方に引き出されるように構成されていてもよい（請求項４）。
【００１２】
一方、上記目的を達成するために、本発明に係る水栓は、請求項１〜４の何れか一項に記載の流路用ボックスによって上流側の流路の一部が覆われている（請求項５）。
【発明の効果】
【００１３】
本願発明では、ボックス蓋の着脱が容易となる流路用ボックス及びこれを備えた水栓が得られる。すなわち、本願の各請求項に係る発明の流路用ボックスでは、ボックス蓋をボックス本体に被せてスライドさせるだけで、ボックス蓋がボックス本体に係合するようになっているので、ボックス本体に対するボックス蓋の着脱を簡易に行うことができる。しかも、ボックス本体及びボックス蓋は、共にシンプルな構成とすることができ、ひいては、流路用ボックスを安価なものとすることができる。
また、前記グリップ部材を用いるので、ボックス本体に対するボックス蓋の装着状態をより確実に維持することが可能となる。
【図面の簡単な説明】
【００１４】
【図１】本発明の一実施の形態に係る流路用ボックスを備えた水栓の構成を概略的に    示す全体図である。
【図２】前記流路用ボックスの内部のユニットの構成を概略的に示す斜視図である。
【図３】前記流路用ボックスに覆われるユニットの構成を概略的に示す斜視図である    。
【図４】前記ユニットの構成の一部を概略的に示す正面図である。
【図５】（Ａ）及び（Ｂ）は、前記ユニットの構成を概略的に示す平面図及び説明図    である。
【図６】前記水栓のシステム構成を概略的に示す説明図である。
【図７】前記流路用ボックスの内部の構成を概略的に示す説明図である。
【図８】（Ａ）〜（Ｄ）は、前記流路用ボックスの開閉方法を概略的に示す斜視図で    ある。
【図９】ボックス蓋が外れている状態の前記流路用ボックスの構成を概略的に示す上    方からの斜視図である。
【図１０】ボックス蓋が外れている状態の前記流路用ボックスの構成を概略的に示す    下方からの斜視図である。
【図１１】前記流路用ボックスのボックス本体の構成を概略的に示す斜視図である。
【図１２】前記ボックス蓋の構成を概略的に示す斜視図である。
【発明を実施するための形態】
【００１５】
本発明の実施の形態について図面を参照しながら以下に説明する。
【００１６】
本実施の形態に係る水栓（以下、本水栓という）は、図１に示すように、例えば洗面台のカウンターの上面等に立設される吐水部１と、吐水部１の上流側の流路（以下、供給流路という）の一部を覆う流路用ボックス（制御ボックス）２とを具備する。流路用ボックス２の上流側には止水栓３が設けられ、この止水栓３は図示していない壁面に取り付けられる。一方、流路用ボックス２の下流側には可撓性のホース４が設けられ、このホース４は吐水部１に接続される。
【００１７】
流路用ボックス２は、図２に示すように、供給流路の一部を構成する二つの配管５，６と、上流側の配管５に対して設けられた電磁弁（電気的駆動弁の一例）７と、下流側の配管６に対して設けられた水力発電機８と、電源基盤（電源ユニットの一例）９と、例えば一次電池を装填した電池ケース等のバックアップ電源１０とを覆う（図３〜図５、図７も参照）。そして、配管５，６、電磁弁７、水力発電機８、電源基盤９及びバックアップ電源１０は、一体化されたユニットとなっている。
【００１８】
ここで、二つの配管５，６は適宜の連結手段により連結され、本例では、図４に示すように、配管５の下流端部にねじ接続されるアダプター１１Ａと、このアダプター１１Ａに設けられたフランジと配管６の上流端に設けられたフランジとを挟持するクイックファスナー１１Ｂとにより連結される。そして、上流側の配管５は適宜の接続部材（例えば袋ナット）によって流路用ボックス２外の止水栓３に接続され、下流側の配管６は適宜の接続部材（例えばホースクランプ）によって流路用ボックス２外のホース４に接続される。
【００１９】
本例の電磁弁７は、ダイアフラム式の電磁弁であり、図５（Ｂ）に示すように、この電磁弁７が設けられる配管５には、電磁弁７のダイアフラム７ａによって閉弁時に閉塞される弁座５ａが形成されている。
【００２０】
電磁弁７はまた、吐水部１に設けられたセンサ１２（図６参照）に電気的に接続され、センサ１２による人体の検知結果に基づいて吐水部１からの吐水とその停止（止水）とが行われるように、開弁及び閉弁するように構成されている。すなわち、本水栓は自動水栓である。
【００２１】
尚、センサ１２は、吐水部１の前方領域に向けて光を発する発光部（図示していない）と、発光部から発せられ前方領域内に進入した人体（主に手）によって反射された光を受ける受光部（図示していない）とを具備する反射型のセンサである。また、センサ１２は、図６に示すように、電源回路１２ａと、電磁弁駆動回路１２ｂと、制御回路１２ｃと、センサ回路１２ｄとを有する。
【００２２】
水力発電機８は配管６内の水流により発電するものであり、公知の構成からなるものを採用可能である。
【００２３】
電源基盤９は、水力発電機８の発電出力と、バックアップ電源１０の出力との何れによっても蓄電可能に構成されている。また、電源基盤９からセンサ１２への給電により、センサ１２は作動し、電磁弁７の駆動もが行われる。
【００２４】
以上のような作動を実現するために、図５（Ａ）及び（Ｂ）に示すように、水力発電機８と電源基盤９とは電線１３により接続されると共に、バックアップ電源１０と電源基盤９とは電線１４により接続される。また、電源基盤９とセンサ１２とは電線１５により接続され、センサ１２と電磁弁７とは電線１６により接続され、電線１５，１６はワイヤーハーネス１７（図１も参照）に束ねられる。
【００２５】
また、電源基盤９は、図６に示すように、水力発電機８によって生成される交流電力を直流電力に変換する整流回路９ａと、この整流回路９ａに接続されて電圧を蓄電に適したレベルに調節する蓄電電圧調節回路（キャパシタ充電回路）９ｂと、この回路９ｂからの出力によって蓄電するコンデンサ９ｃと、このコンデンサ９ｃに蓄電した電力を負荷に必要な電圧に調節する放電電圧調節回路（昇圧回路）９ｄと、この回路９ｄの出力またはバックアップ電源１０の出力の何れか一方を選択的に接続する選択接続回路９ｅとを有する。
【００２６】
流路用ボックス２は、上述の通り、二つの配管５，６、電磁弁７、水力発電機８、電源基盤９及びバックアップ電源１０からなるユニットを覆うためのものであり、合成樹脂製のボックス本体２１（図１１参照）と、合成樹脂製のボックス蓋２２（図１２参照）とを備え、図８（Ｄ）に示すようにボックス本体２１にボックス蓋２２が被さった状態で上記ユニットを覆うように構成されている。
【００２７】
ここで、ボックス本体２１は下流側の配管６（前記供給流路の一部の一例）に固定される。本例では、配管６のねじ孔２３（図２、図３参照）とボックス本体２１のねじ溝２４（図１１参照）とに図外のねじを螺合させてねじ止めするようにしてある。また、ボックス本体２１内には、図１１に示すように補強用及び保持用の多数のリブ２５が設けられている。
【００２８】
また、上流側の配管５（前記供給流路の一部の上流部）が下を向き下流側の配管６（前記供給流路の一部の下流部）が上を向くように配置されているのに対応させて、ボックス本体２１の天壁２６には配管６を通す（避ける）ための貫通孔（切欠き状の回避部の一例）２６ａが設けられ、ボックス本体の底壁２７には配管５を通す（避ける）ための切欠状の長溝（切欠き状の回避部の他の一例）２７ａが設けられている（図９〜図１１参照）。
【００２９】
さらに、貫通孔２６ａが形成される天壁２６の内面（下面）並びに長溝２７ａが形成される底壁２７の内面（上面）には、シール部材としてクッション性に優れた（凹凸に対して十分に変形して凹凸を埋めることができる）独立発泡性のパッキン（図示していない）が全面に取り付けられる。
【００３０】
一方、ボックス蓋２２は、ボックス本体２１から離脱可能な状態でボックス本体２１に被さり（図８（Ａ）及び（Ｂ）参照）、この離脱可能な状態にあるボックス蓋２２がボックス本体２１に対して前記供給流路の一部の上流側または下流側にスライドすると、ボックス本体２１から離脱不能な状態となる（図８（Ｃ）参照）ように構成されている。そして、ボックス蓋２２の上下両面には、配管５，６を避けるための切欠き状の回避部としての長溝２２ａが設けられている（図８（Ａ）及び図１２参照）。
【００３１】
また、離脱不能な状態にあるボックス蓋２２とボックス本体２１との隙間ｇ（図８（Ｃ）参照）に挿入可能なクリップ部材２８が設けられ、クリップ部材２８は隙間ｇ内に位置する管部５に係脱自在に係合し、隙間ｇ内に位置する管部５にクリップ部材２８が係合した状態（図８（Ｄ）参照）では、ボックス蓋２２は前記離脱不能な状態となる位置（図８（Ｃ）または（Ｄ）に示す位置）から前記離脱可能な状態となる位置（図８（Ｂ）参照）にスライドすることができないように構成されている。尚、クリップ部材２８は、自身の弾性により配管５に係合するように構成されている。
【００３２】
本例では、ボックス蓋２２の前後両面にはボックス蓋２２の開口縁から延びるＬ状溝２９が二つずつ設けられると共に、ボックス本体２１にはＬ状溝２９に係合可能な突起３０が設けられている。そして、Ｌ状溝２９は、図１２に示すように、ボックス蓋２２の開口縁からＬ状溝の屈曲部分２９ａまで延びる非ロック溝部２９ｂと、屈曲部分２９ａよりもＬ状溝の最奥側の部分を占めるロック溝部２９ｃとを有し、ボックス蓋２２が前記離脱可能な状態にあるときは、突起３０は非ロック溝部２９ｂ内に位置し（図８（Ｂ）参照）、ボックス蓋２２が前記離脱不能な状態にあるときは、突起３０はロック溝部２９ｃ内に位置している（図８（Ｃ）参照）。
【００３３】
そして、図８（Ｃ）に示す状態にあるボックス本体２１とボックス蓋２２とが形成する隙間ｇにグリップ部材２８を差し込み、配管５にグリップ部材２８を係合させることで、ボックス本体２１からのボックス蓋２２の離脱を確実に防止することができる。しかし、ボックス蓋２２が図８（Ｃ）に示す上記離脱不能な状態にある場合、このボックス蓋２２が持ち上がらない限りこの状態は維持される。
【００３４】
ここで、センサ１２を有する吐水部１は流路用ボックス２（前記供給流路の一部）の上方に位置している（図１参照）。従って、電源基盤９及び電磁弁７をセンサ１２に接続するための配線１５，１６を束ねたワイヤーハーネス１７を、流路用ボックス２からその上方に引き出す必要があるが、流路用ボックス２の上面から引き出すようにした場合、防水性が低下したり、防水性の低下を防止するためにシール性を上げようとすると構造が複雑化したりする恐れがある。
【００３５】
そこで、本実施形態では、ワイヤーハーネス１７が、ボックス本体２１の外面に形成された凹溝３１に沿ってボックス本体２１の下方から側方を経て上方に引き出されるように構成してある（図８〜図１１参照）。
【００３６】
上記のように構成した流路用ボックス２では、ワイヤーハーネス１７のコネクタ（図示していない）をセンサ１２に接続する作業を行う際やメンテナンス時などに、ボックス本体２１に対するボックス蓋２２の着脱を行う必要があるが、その着脱を簡易に行うことができる。また、ボックス本体２１に対して装着状態としたボックス蓋２２のがたつきはグリップ部材２８によって確実に防止することができ、ボックス本体２１、ボックス蓋２２及びグリップ部材２８は非常にシンプルな構成からなるので流路用ボックス２は安価なものとなる。
【００３７】
なお、本発明は、上記の実施の形態に何ら限定されず、本発明の要旨を逸脱しない範囲において種々に変形して実施し得ることは勿論である。例えば、以下のような変形例を挙げることができる。
【００３８】
例えば、上記実施の形態では、ボックス本体２１を下流側の配管６に固定する例を示したが、これに限らず、上流側の配管５等に固定してもよい。
【００３９】
上記実施の形態では、電線１５，１６をワイヤーハーネス１７で束ねているが、これに限らず、また、各電線１３〜１６の配線方法は適宜に変更可能である。
【００４０】
上記実施の形態では、流路用ボックス２を縦向きに用いているが、横向きに用いるように構成してあってもよい。
【００４１】
上記実施の形態ではＬ状溝２９がボックス蓋２２の外面に表れているが、Ｌ状溝２９がボックス蓋２２の外面に表れないように、例えば、Ｌ状溝２９を貫通溝状ではなくその外側が閉塞された凹溝状にしたり、Ｌ状溝２９をボックス本体２１に設け、突起３０をボックス蓋２２の内面に設けるようにしたりしてもよい。また、Ｌ状溝２９の代わりに、円弧状の溝等、種々の形状の溝を採用可能である。
【００４２】
なお、上記変形例どうしを適宜組み合わせてもよいことはいうまでもない。
【符号の説明】
【００４３】
１    吐水部
２    流路用ボックス
３    止水栓
４    ホース
５    配管
５ａ  弁座
６    配管
７    電磁弁
７ａ  ダイアフラム
８    水力発電機
９    電源基盤
９ａ  整流回路
９ｂ  蓄電電圧調節回路
９ｃ  コンデンサ
９ｄ  放電電圧調節回路
９ｅ  選択接続回路
１０    バックアップ電源
１１Ａ  アダプター
１１Ｂ  クイックファスナー
１２    センサ
１２ａ  電源回路
１２ｂ  電磁弁駆動回路
１２ｃ  制御回路
１２ｄ  センサ回路
１３    電線
１４    電線
１５    電線
１６    電線
１７    ワイヤーハーネス
２１    ボックス本体
２２    ボックス蓋
２３    ねじ孔
２４    ねじ溝
２５    リブ
２６    天壁
２６ａ  貫通孔
２７    底壁
２７ａ  長溝
２８    グリップ部材
２９    Ｌ状溝
２９ａ  屈曲部分
２９ｂ  非ロック溝部
２９ｃ  ロック溝部
３０    突起
３１    凹溝
ｇ    隙間
【図１】
0005916218.tif 000002
【図２】
0005916218.tif 000003
【図３】
0005916218.tif 000004
【図４】
0005916218.tif 000005
【図５】
0005916218.tif 000006
【図６】
0005916218.tif 000007
【図７】
0005916218.tif 000008
【図８】
0005916218.tif 000009
【図９】
0005916218.tif 000010
【図１０】
0005916218.tif 000011
【図１１】
0005916218.tif 000012
【図１２】
0005916218.tif 000013